(57)【要約】      （修正有）【課題】色再現性を犠牲にすることなく、且つ本来具備している機能を用いて、屋外使用時の寿命劣化防止が可能な投射型表示装置を提供する。【解決手段】液晶パネル４の画像を投射レンズ６により所定の対象物に投射するプロジェクタ１において、外部からの所定の波長成分が、投射レンズを逆戻り入射するかどうかを判定する判定手段と、逆戻りを防止する遮光シャッター７と、を有し、判定手段により逆戻りする可能性があると判定された場合には、遮光シャッター７を動作させる。【選択図】図１
2019078962.tif 000002
【特許請求の範囲】
【請求項１】
表示素子の画像を拡大投射光学系により所定の対象物に投射する投射型表示装置において、
外部からの所定の波長成分が、前記拡大投射光学系を逆戻り入射するかどうかを判定する判定手段と、
前記逆戻りを防止する逆戻り入射防止手段と、
を有し、
前記判定手段により逆戻りする可能性があると判定された場合には、前記逆戻り入射防止手段を動作させることを特徴とする投射型表示装置。
【請求項２】
前記逆戻り入射防止手段は、前記拡大投射光学系の光路に配置された遮光部材を駆動して遮光することで制御をすることを特徴とする請求項１に記載の投射型表示装置。
【請求項３】
前記逆戻り入射防止手段は、前記拡大投射光学系の焦点調整手段を至近端に駆動させ、前記表示素子に合焦しないように制御することを特徴とする請求項１に記載の投射型表示装置。
【請求項４】
前記逆戻り入射防止手段は、少なくとも前記拡大投射光学系を傾斜もしくはシフト駆動させることで、逆戻り入射を防止することを特徴とする請求項１に記載の投射型表示装置。
【請求項５】
前記判定手段は、外部からの入射光の分光感度を検出する手段を用いて、所定の波長より短波長成分を検出する手段であることを特徴とする請求項１に記載の投射型表示装置。
【請求項６】
前記判定手段は、本体の傾き情報、方位情報、前記拡大投射光学系の投射画角情報、前記本体の設置位置情報の少なくとも１つの情報から、条件算出を行うことを特徴とする請求項１に記載の投射型表示装置。
【発明の詳細な説明】
【技術分野】
【０００１】
本発明は投射型表示装置に関し、特に屋外使用時における寿命改善のための制御に関するものである。
【背景技術】
【０００２】
近年、プロジェクタに代表する投射型表示装置は、デジタルサイネージやプロジェクションマッピングなどの用途により、室内のみならず屋外で使用されることが多くなってきている。特に、屋外にて固定設置状態（常設状態）で使用される場合が多い。固定設置状態の場合、マルチスクリーン投射配置の都合上様々な角度、位置に設置されることが一般的である。
【０００３】
このため、プロジェクタを屋外に固定設置した場合、プロジェクタの設置位置、角度、方向によっては、ある時間になると太陽光が投射レンズを介して液晶パネル面まで入射することがあり得る。太陽光には紫外線などの短波長成分が含まれているため、長時間屋外に固定設置されるプロジェクタの場合、これが原因でパネルの寿命に影響を与えることがある。
【０００４】
この対策の１つとして、特許文献１に記載されるように、外部からの紫外光による影響を防ぐため、光路を逆方向に進む紫外線光を吸収する紫外線吸収部材を入れるという技術が提案されている。
【先行技術文献】
【特許文献】
【０００５】
【特許文献１】特開２０１２−２３３９８６号公報
【発明の概要】
【発明が解決しようとする課題】
【０００６】
しかしながら、特許文献１の技術であると、紫外線のパネル面までの到達を防ぐことは可能であるが、短波長側にカットフィルタを挿入するため、色再現等を犠牲にしなければならない。更に、専用部品が必要となるためコストの増大につながる。
【０００７】
そこで、本発明の目的は、色再現性を犠牲にすることなく、且つ本来具備している機能を用いて、屋外使用時の寿命劣化防止が可能な投射型表示装置を提供することである。
【課題を解決するための手段】
【０００８】
上記目的を達成するため、本発明に係る投射型表示装置は、表示素子の画像を拡大投射光学系により所定の対象物に投射する投射型表示装置において、外部からの所定の波長成分が、前記拡大投射光学系を逆戻り入射するかどうかを判定する判定手段と、
前記逆戻りを防止する逆戻り入射防止手段と、を有し、前記判定手段により逆戻りする可能性があると判定された場合には、前記逆戻り入射防止手段を動作させることを特徴とする。
【発明の効果】
【０００９】
本発明によれば、色再現性を犠牲にすることなく、且つ本来具備している機能を用いて、屋外使用時の寿命劣化防止が可能な投射型表示装置を提供することができる。
【図面の簡単な説明】
【００１０】
【図１】本発明の第１の実施形態を示すブロック図である。
【図２】第１の実施形態における光センサ制御部を示した図である。
【図３】光センサ制御部の詳細処理を示した図である。
【図４】第１の実施形態における遮光制御を示した図である。
【図５】第１の実施形態の処理を示したフローチャートである。
【図６】本発明の第２の実施形態を示すブロック図である。
【図７】第２の実施形態におけるフォーカス制御を示した図である。
【図８】逆戻り光入射の環境例を示した図である。
【図９】逆戻り光入射条件判定部のブロック図である。
【図１０】逆戻り光入射条件判定部の詳細処理を示した図である。
【図１１】第２の実施形態の処理を示したフローチャートである。
【図１２】本発明の第３の実施形態を示すブロック図である。
【図１３】第３の実施形態の具体例を示した図である。
【図１４】第３の実施形態の処理を示したフローチャートである。
【発明を実施するための形態】
【００１１】
以下に、本発明の好ましい実施形態を、添付の図面に基づいて詳細に説明する。
【００１２】
（第１の実施形態）
図１は、本発明の第１の実施形態に係るプロジェクタ１を示した図である。画像処理部２は、入力映像信号に対し、解像度変換やフレームレート変換、色処理や幾何学処理などパネル駆動に適した各種映像信号処理が施される。パネル駆動回路３は、液晶パネル４を駆動するのに適した信号形態に変換し液晶パネル４上に画像を表示させる。光学系５は、色毎に配置された複数の液晶パネルに照射する照明光を色分解したり、また各液晶パネルの画像を合成したりする光学系である。投射レンズ６は、光学系５によって合成された画像をスクリーンなどに拡大投射させる機能を持つ。
【００１３】
遮光シャッター７は投射レンズ６の出射側に配置され、開閉する機構を有する。シャッター制御回路９は、ＭＰＵ８からの指令により遮光シャッター７を開閉制御する。分光センサ１１はプロジェクタ１に照射する外光のスペクトル分布を計測する光センサである。光センサ制御部１０は、分光センサ１１の駆動、および分光センサ１１で検出されたスペクトル情報に対し所定の処理を行いＭＰＵ８に転送する機能を有する。
【００１４】
図２は、光センサ制御部１０の詳細ブロックを示した図である。センサ駆動ブロック２００とセンサ値処理ブロック２０１の２つの機能で、構成されている。センサ駆動ブロック２００は、ＭＰＵ８からの指令により分光センサ１１を駆動して、その時点のセンサ値（スペクトル情報）を取得する。センサ値処理ブロック２０１は、フィルタ処理部２２と積算処理部２３で構成される。フィルタ処理部２２は、取得したスペクトル情報に対し、液晶パネル４の寿命に影響を与える短波長（たとえば紫外線）領域の波長成分のみ抽出するフィルタ機能を有する。積算処理部２３は、フィルタ処理部２２で抽出されたスペクトル成分を積分する積算処理を行う。
【００１５】
図３は、センサ処理ブロック２０１の具体的な処理を示した図示したものである。図３（ａ）（ｄ）は分光センサ１１のセンサ出力情報であり、図３（ｂ）（ｅ）はフィルタ処理部２２によって短波長領域（λ＜３５０ｎｎ）のみ抽出されたことを示している。また、図３（ｃ）（ｆ）は図３（ｂ）（ｅ）の抽出された領域の強度値を積分した値：Ｉ＿ｕｖを示している。図３（ａ）（ｂ）（ｃ）は、短波長成分が多い太陽光の場合の例であり、（ｄ）（ｅ）（ｆ）は短波長成分が少ない蛍光灯の場合の例を示している。
【００１６】
図４は、遮光シャッター７の２つの状態を示した図である。図４（ａ）は閉状態であり、この場合外光は投射レンズ４や光学系５を介して液晶パネル４に逆戻りすることはない。また、図４（ｂ）は開状態であり、スクリーン等に投射する通常使用状態である。この場合、条件によっては外光が投射レンズ４や光学系５を介して液晶パネル４に逆戻りする可能性がある状態である。
【００１７】
次に、本実施形態の詳細処理手順に関して説明する。図５は、本実施形態の主にＭＰＵ８における処理フローを示したフローチャートである。このフローチャートに沿って、処理手順を説明する。
【００１８】
［Ｓ１００］
一定時間：ｔ＿ｉｎｔ経過するまで待つ。一定時間経過したら［Ｓ１０１］へ移行する。ｔ＿ｉｎｔは逆戻り条件にあるかどうかを検出する時間間隔であり、一般的には３０分〜数時間に設定される。
【００１９】
［Ｓ１０１］
光センサ制御部１０に対し、分光センサ１１への駆動開始命令（Ｃｈａｒｇｅ＿Ｓｔａｒｔ）を発行する。光センサ制御部１０は分光センサ１１の駆動を行い、センサ値（スペクトル情報）を取得する。
【００２０】
［Ｓ１０２］
光センサ制御部１０における、フィルタ処理及び積算処理などのセンサ値分析処理が完了するまで待つ。
【００２１】
［Ｓ１０３］
光センサ制御部１０の出力である分析センサ値：Ｉ＿ｕｖを、受信する。Ｉ＿ｕｖは、分光センサ、つまりプロジェクタ本体に照射されている短波長成分（近紫外線成分）の強度を示す値であり、大きい値ほど強度が大きい短波長（近紫外線）が照射されていることになる。Ｉ＿ｕｖが大きいほど、液晶パネル４の寿命に影響を与えかねないため、Ｉ＿ｕｖの値に応じて分岐処理を行う。
【００２２】
所定の閾値：Ｉ＿ｕｖ＿ｔｈ０に対し、
Ｉ＿ｕｖ  ＞  Ｉ＿ｕｖ＿ｔｈ０  の場合、［Ｓ１０４］に移行
Ｉ＿ｕｖ  ≦  Ｉ＿ｕｖ＿ｔｈ０  の場合、［Ｓ１０６］に移行
する。Ｉ＿ｕｖ＿ｔｈ０は、液晶パネル４に長時間照射すると寿命に影響を与える強度、を設定する。
【００２３】
［Ｓ１０４］
シャッター状態検出回路３０１から遮光シャッター７の状態を取得する。遮光シャッター７が開状態、つまり図４（ｂ）状態であれば、［Ｓ１０５］に移行、閉状態、つまり図４（ａ）状態であれば、［Ｓ１００］に戻る。
【００２４】
［Ｓ１０５］
シャッター制御部９に対し、遮光シャッター７を閉駆動するよう指令を出す。それを受けてシャッター駆動回路３００は遮光シャッター７を図４（ａ）状態にする。
【００２５】
［Ｓ１０６］
シャッター状態検出回路３０１から遮光シャッター７の状態を取得する。遮光シャッター７が閉状態、つまり図４（ａ）状態であれば［Ｓ１０７］に移行、開状態、つまり図４（ｂ）状態であれば、［Ｓ１００］に戻る。
【００２６】
［Ｓ１０７］
シャッター制御部９に対し、遮光シャッター７を開駆動するよう指令を出す。それを受けてシャッター駆動回路３００は遮光シャッター７を図４（ｂ）状態にする。
【００２７】
以上のように、プロジェクタ本体に、液晶パネル４の寿命に影響を与える短波長成分を多く含んだ外光（＝太陽光）が多く照射している場合には、その状況を検知して遮光シャッター７を閉じることにより、液晶パネル４までの逆戻り光を防ぐ。
【００２８】
（第２の実施形態）
図６は、本発明の第２の実施形態に係るプロジェクタ３０を示した図である。画像処理部２、パネル駆動回路３、液晶パネル４、光学系５、投射レンズ３１は、第１の実施形態と同じ機能であるため、説明は省略する。
【００２９】
フォーカス駆動回路３４は、ＭＰＵ３２からの制御により電動フォーカス機能を有する投射レンズ３１のフォーカスレンズを駆動する。また、ズームエンコーダ３５は、投射レンズ３１のズーム位置情報を取得するエンコーダである。傾斜センサ３６は、加速度センサなどを用いてプロジェクタ本体３０の傾きを検出するセンサである。方位センサ３７は、プロジェクタがどの方位を向いているかの情報を検出するセンサである。地理情報３８は、プロジェクタ本体が存在する地球上の位置情報および時間情報であり、例えばＧＰＳなどが使用される。
【００３０】
入射条件判定部３３は、ズームエンコーダ３５、傾斜センサ３６、方位センサ３７、地理情報３８を用いて、投射レンズ３１や液晶パネル４に外光が逆戻りするかどうかを判定する部分である。
【００３１】
図９は、入射条件判定部３３の詳細ブロックを示した図である。本体内部の液晶パネル４への逆戻り入射条件を算出する逆戻り入射条件算出部４０と、環境に依存する外光入射情報算出部４１の２つのブロックから構成される。逆戻り入射条件算出部４０は、以下の情報を取得する。
・ズームエンコーダ３４からのズーム情報：ＺｍＰｏｓ
・傾斜センサ３５からのプロジェクタ本体傾斜情報：Ｇｒａｄ
・方位センサ３６からのプロジェクタ本体がどの方位に向いているかの情報：Ｄｉｒ
これら情報を基に、外光が投射レンズ３１経由で液晶パネル４に逆戻りする可能性のある範囲：Ｃｏｎｄ（ＰＪ）を算出する。
【００３２】
図１０（ａ）は逆戻りする可能性の範囲の例を示した図であり、θＰＪ＿ｈ、θＰＪ＿ｖ、ＳｒＰＪで決められる円錐型の範囲からの入射であれは、投射レンズ３１や光学系５を介して液晶パネル４まで逆戻りする可能性があることを示している。
【００３３】
一方、外光入射情報算出部４１は、以下の情報を取得する。
ＧＰＳ３８から
・プロジェクタが置かれている地理情報（経度／緯度）：Ｇｉ
・現在の時間情報：Ｔｉｍｅ
これらの情報を基に、外光（太陽光）がプロジェクタ３０に照射する角度情報：Ｃｏｎｄ（Ｌ）を算出する。
【００３４】
図１０（ｂ）は太陽光がプロジェクタに照射する角度を示した図であり、θＬ＿ｈ、θＬ＿ｖで決められる角度から太陽が照射していることを示している。
【００３５】
図９における条件判定部４４は、Ｃｏｎｄ（Ｌ）がＣｏｎｄ（ＰＪ）の範囲内に含まれるかどうかを判定する部分であり、判定結果をＭＰＵ３２に情報転送する。
【００３６】
図８は、条件判定部４４において判定した２つの例である。（ａ）はＣｏｎｄ（Ｌ）がＣｏｎｄ（ＰＪ）の範囲外にあるので、条件範囲外判定、（ｂ）Ｃｏｎｄ（Ｌ）がＣｏｎｄ（ＰＪ）の範囲内にあるので、条件範囲内判定  の場合を示している。
【００３７】
次に、本実施形態の詳細処理手順に関して説明する。図１１は、本実施形態の主にＭＰＵ８における処理フローを示したフローチャートである。このフローチャートに沿って、処理手順を説明する。
【００３８】
［Ｓ２００］
一定時間：ｔ＿ｉｎｔ経過するまで待つ。一定時間経過したら［Ｓ２０１］および［Ｓ２０３］へ移行する。ｔ＿ｉｎｔは逆戻り条件にあるかどうかを検出する時間間隔であり、一般的には３０分〜数時間に設定される。
【００３９】
［Ｓ２０１］
逆戻り入射条件算出部４０が
・ズームエンコーダ３４からのズーム情報：ＺｍＰｏｓ
・傾斜センサ３５からのプロジェクタ本体傾斜情報：Ｇｒａｄ
・方位センサ３６からのプロジェクタ本体の投射レンズがどの方位を向いているかの情報：Ｄｉｒ
を取得する。
【００４０】
［Ｓ２０２］
ＺｍＰｏｓ、Ｇｒａｄ、Ｄｉｒの値から、外光が投射レンズ３１を介して液晶パネル４へ逆戻りする条件：Ｃｏｎｄ（ＰＪ）を算出する。
【００４１】
［Ｓ２０３］
外光入射情報算出部４１が、ＧＰＳ３８から
・現在の時間情報：Ｔｉｍｅ
・プロジェクタが置かれている地理情報（経度／緯度）：Ｇｉ
を取得する。
【００４２】
［Ｓ２０４］
Ｔｉｍｅ、Ｇｉの値から太陽光がプロジェクタ本体３０に照射する照射角度条件：Ｃｏｎｄ（Ｌ）を算出する。
【００４３】
［Ｓ２０５］
Ｃｏｎｄ（ＰＪ）とＣｏｎｄ（Ｌ）を比較する。Ｃｏｎｄ（Ｌ）がＣｏｎｄ（ＰＪ）の範囲内に含まれる場合（たとえば図８（ｂ））、［Ｓ２０６］に移行する。Ｃｏｎｄ（Ｌ）がＣｏｎｄ（ＰＪ）の範囲内に含まれない場合（たとえば図８（ａ））、［Ｓ２０９］に移行する。
【００４４】
［Ｓ２０６］
フォーカス駆動回路３４からフォーカス位置情報を取得する。現在のフォーカス位置が「至近端」でなければ［Ｓ２０７］に移行、「至近端」であれば［Ｓ２００］に戻る。
【００４５】
［Ｓ２０７］
現在のフォーカス位置をｐｒｅＦｃｓＰｏｓとして記憶もしくは保存する。また、この時点における外光（太陽光）の逆戻りの様子を図７（ａ）に示す。フォーカスレンズが至近端にないことが原因で、無限遠に存在する太陽光が比較的液晶パネル４付近で合焦することになり、液晶パネル４上の単位面積当たりの短波長光強度が大きくなっている。
【００４６】
［Ｓ２０８］
フォーカス駆動回路３４に対し、フォーカスレンズを「至近端」に駆動するよう命令する。
【００４７】
この処理後の外光（太陽光）の逆戻りの様子を、図７（ｂ）に示す。フォーカスレンズが至近端に駆動されたことで、無限遠に存在する太陽光は液晶パネル４付近では合焦しなくなり、その結果、液晶パネル４上の単位面積当たりの短波長光強度が小さくなっている。
【００４８】
［Ｓ２０９］
フォーカス駆動回路３４からフォーカス位置情報を取得する。現在のフォーカス位置が「至近端」であれば［Ｓ２１０］に移行、「至近端」でなければ［Ｓ２００］に戻る。
【００４９】
［Ｓ２１０］
フォーカス駆動回路３４に対し、フォーカスレンズをｐｒｅＦｃｓＰｏｓの位置に駆動するよう命令する。この時に、もし外光（太陽光）が逆戻り条件を満たしていた場合には、図７（ａ）のようになるが、Ｓ２１０は逆戻り条件を満たしていない場合であるので、液晶パネル４（液晶パネル４付近を含む）に太陽光が合焦することは起こりえない。
【００５０】
以上のように、プロジェクタ本体に、液晶パネル４の寿命に影響を与える短波長を多く含んだ外光（＝太陽光）が逆戻りする条件で照射している場合には、その状況を検知してフォーカスレンズを至近端に駆動する。これにより、液晶パネル４付近に光強度密度が強い状態を作らないようにする。
【００５１】
（第３の実施形態）
図１２は、本実施形態に係るプロジェクタ５０を示した図である。画像処理部２、パネル駆動回路３、液晶パネル４、光学系５、投射レンズ５１、ズームエンコーダ３４、傾斜センサ３５、方位センサ３６、地理情報３７、入射条件判定部５４は、第２の実施形態と同じ機能であるため、説明は省略する。また、太陽光が投射レンズ５１を介して液晶パネル４へ逆戻りする入射条件判定方法は、第２の実施形態と同じであるため省略する。
【００５２】
レンズシフト駆動回路５３は、ＭＰＵ５２からの制御により電動シフト機能を有する投射レンズ５１の上下左右のシフト駆動を行う。
【００５３】
プロジェクタ５０は電動パン・チルト機構を有する雲台６０に固定してある。雲台６０は、雲台駆動回路６１とパン・チルト駆動機構６２で構成されており、ＭＰＵ５２からの命令でパン・チルト動作を行う。
【００５４】
次に、本実施形態の詳細処理手順に関して説明する。図１４は、本実施形態の主にＭＰＵ８における処理フローを示したフローチャートである。このフローチャートに沿って、処理手順を説明する。
【００５５】
［Ｓ３００］
一定時間：ｔ＿ｉｎｔ経過するまで待つ。一定時間経過したら、［Ｓ３０１］および［Ｓ３０３］へ移行する。ｔ＿ｉｎｔは逆戻り条件にあるかどうかを検出する時間間隔であり、一般的には３０分〜数時間に設定される。
【００５６】
［Ｓ３０１］
逆戻り入射条件算出部４０が
・ズームエンコーダ３４からのズーム情報：ＺｍＰｏｓ
・傾斜センサ３５からのプロジェクタ本体傾斜情報：Ｇｒａｄ
・方位センサ３６からのプロジェクタ本体の投射レンズがどの方位を向いているかの情報：Ｄｉｒ
を取得する。
【００５７】
［Ｓ３０２］
ＺｍＰｏｓ、Ｇｒａｄ、Ｄｉｒの値から、外光が投射レンズ３１を介して液晶パネル４へ逆戻りする」条件：Ｃｏｎｄ（ＰＪ）を算出する。
【００５８】
［Ｓ３０３］
外光入射情報算出部４１が、ＧＰＳ３８から
・現在の時間情報：Ｔｉｍｅ
・プロジェクタが置かれている地理情報（経度／緯度）：Ｇｉ
を取得する。
【００５９】
［Ｓ３０４］
Ｔｉｍｅ、Ｇｉの値から太陽光がプリジェクタ本体３０に照射する照射角度条件：Ｃｏｎｄ（Ｌ）を算出する。
【００６０】
［Ｓ３０５］
Ｃｏｎｄ（ＰＪ）とＣｏｎｄ（Ｌ）を比較する。Ｃｏｎｄ（Ｌ）がＣｏｎｄ（ＰＪ）の範囲内に含まれる場合（たとえば図８（ｂ））、［Ｓ３０６］に移行する。Ｃｏｎｄ（Ｌ）がＣｏｎｄ（ＰＪ）の範囲内に含まれない場合（たとえば図８（ａ））、［Ｓ３０９］に移行する。
【００６１】
［Ｓ３０６］
Ｃｏｎｄ（Ｌ）がＣｏｎｄ（ＰＪ）の範囲外となる雲台設定情報：ａｖｄＰＴＩｎｆｏ（Ｐａｎ＝Ｘａ，Ｔｉｌｔ＝Ｙａ）、およびレンズシフト設定情報：ａｖｄＬＳＩｎｆｏ（ＬＳｈｉｆｔ＝Ｌａ）を算出する。例えば、図１３（ａ）のようにＣｏｎｄ（Ｌ）がＣｏｎｄ（ＰＪ）の範囲内である場合には、図１３（ｂ）に示すように雲台を（Ｐａｎ＝Ｘａ，Ｔｉｌｔ＝Ｙａ）、レンズシフトを（ＬＳｈｉｆｔ＝Ｌａ）に設定することにより、Ｃｏｎｄ（Ｌ）をＣｏｎｄ（ＰＪ）の範囲外にする。
【００６２】
［Ｓ３０７］
雲台６０から、現在の雲台設定情報：ＰＴＩｎｆｏを取得する。また、レンズシフト駆動回路５３から現在のレンズシフト設定情報：ＬＳＩｎｆｏを取得する。両者をそれぞれ、ｐｒｅＰＴＩｎｆｏ（Ｐａｎ＝Ｘｃ，Ｔｉｌｔ＝Ｙｃ）、ｐｒｅＬＳＩｎｆｏ（ＬＳｈｉｆｔ＝Ｌｃ）として記憶／保存する。
【００６３】
［Ｓ３０８］
雲台６０に対し、ａｖｄＰＴＩｎｆｏ（Ｐａｎ＝Ｘａ，Ｔｉｌｔ＝Ｙａ）を設定して駆動する。レンズシフト駆動回路５３に対し、ａｖｄＬＳＩｎｆｏ（ＬＳｈｉｆｔ＝Ｌａ）を設定して駆動する。これにより、図１３（ｂ）のように逆戻り条件を満たさなくなる。
【００６４】
［Ｓ３０９］
雲台６０から、現在の雲台設定情報：ＰＴＩｎｆｏを取得する。レンズシフト駆動回路５０から、現在のレンズシフト設定情報：ＬＳＩｎｆｏを取得する。取得したＰＴＩｎｆｏ＝ａｖｄＰＴＩｎｆｏ（Ｐａｎ＝Ｘａ，Ｔｉｌｔ＝Ｙａ）の場合、もしくはＬＳＩｎｆｏ＝ａｖｄＬＳＩｎｆｏ（ＬＳｈｉｆｔ＝Ｌａ）の場合、［Ｓ３１０］に移行する。取得したＰＴＩｎｆｏ≠ａｖｄＰＴＩｎｆｏ（Ｐａｎ＝Ｘａ，Ｔｉｌｔ＝Ｙａ）の場合、且つＬＳＩｎｆｏ≠ａｖｄＬＳＩｎｆｏ（ＬＳｈｉｆｔ＝Ｌａ）の場合、［Ｓ３００］に戻る。
【００６５】
［Ｓ３１０］
雲台６０に対し、ｐｒｅＰＴＩｎｆｏ（Ｐａｎ＝Ｘｃ，Ｔｉｌｔ＝Ｙｃ）を設定して駆動する。レンズシフト駆動回路５０に対し、ｐｒｅＬＳＩｎｆｏ（ＬＳｈｆｉｔ＝Ｌｃ）に設定して駆動する。この時に、もし外光（太陽光）が逆戻り条件を満たしていた場合には、図１３（ａ）のようになるが、Ｓ３１０は逆戻り条件が満たしていない場合であるので、液晶パネル４付近に太陽光が合焦することは起こりえない。
【００６６】
以上のように、プロジェクタ本体に、液晶パネル４の寿命に影響を与える短波長を多く含んだ外光（＝太陽光）が逆戻りする条件で照射している場合には、その状況を検知して雲台やレンズシフトを避ける方向に駆動する。これにより、液晶パネル４付近に逆戻り光が入射しないようにする。
【００６７】
ここでは防止方法として、雲台やレンズシフト駆動を例に挙げたが、本体を傾斜や回転・シフトする方法であればこれに限ったことではない。例えば、雲台ではなく天吊金具等の固定部材が摺動することで防止する方法でもよい。
【符号の説明】
【００６８】
１：プロジェクタ、２：画像処理部、３：パネル駆動回路、４：液晶パネル、５：光学系、６：投射レンズ、７：遮光シャッター、８：ＭＰＵ、９：シャッター制御、１０：光センサ制御部、１１：分光センサ
【図１】
2019078962.tif 000003
【図２】
2019078962.tif 000004
【図３】
2019078962.tif 000005
【図４】
2019078962.tif 000006
【図５】
2019078962.tif 000007
【図６】
2019078962.tif 000008
【図７】
2019078962.tif 000009
【図８】
2019078962.tif 000010
【図９】
2019078962.tif 000011
【図１０】
2019078962.tif 000012
【図１１】
2019078962.tif 000013
【図１２】
2019078962.tif 000014
【図１３】
2019078962.tif 000015
【図１４】
2019078962.tif 000016